(57)【要約】【課題】ディスプレイに表示する画像を静止画として記録する機能を備える画像表示装置においてユーザが記録を指示したときにディスプレイに表示されていた画像と実際に静止画として記録される画像とを一致させる。【解決手段】  制御用マイコンは、ユーザからディスプレイに表示された画像の記録を指示されると、記録処理部、スキャンコンバータ、切替回路に制御コマンドを出力する。このコマンドに対し、記録処理部は入力した画像信号をメモリに格納する。切替回路は、記録処理部からメモリに格納された画像信号を入力し、スキャンコンバータに出力する。【選択図】図１
2006019959.tif 000002
【特許請求の範囲】
【請求項１】
映像信号を入力する映像信号入力手段と、
上記映像信号入力手段が入力した映像信号の走査周波数を変換し所定の表示手段に表示させる周波数変換手段と、
上記表示手段に表示された映像に対する記録指示をユーザから受けたとき、上記映像信号入力手段が入力した映像信号を記憶する記憶手段と、
上記記憶手段に記憶された映像信号を静止画として記録媒体に記録させる記録制御手段と、
上記記憶手段に記憶された映像信号を上記周波数変換手段に出力する切替手段と
を備えることを特徴とする画像表示装置。
【請求項２】
上記切替手段は、上記表示手段に表示した映像に対する記録指示をユーザから受けたとき、上記映像信号入力手段が入力した映像信号と、上記記憶手段に記憶された映像信号とを上記周波数変換手段に出力させ、
上記周波数変換手段は、上記入力手段が入力した映像信号と上記記憶手段に記憶された映像信号と重ねた画像を生成すること
を特徴とする請求項１記載の画像表示装置。
【発明の詳細な説明】
【技術分野】
【０００１】
本発明は、ディスプレイに表示された画像を静止画として記録する画像表示装置に関する。
【背景技術】
【０００２】
近年、映像技術が進歩し地上波のテレビジョン信号であるＮＴＳＣ（National Television System Committee standard）やＰＡＬ（Phase Alternating Line standard）よりも高画質なＨＤＴＶ（High Definition Television；高精細度テレビジョン信号）やＥＤＴＶ（Enhanced Definition Tele Vision；高画質化テレビジョン）と呼ばれる映像信号が存在する。高画質な映像信号は、従来の映像信号と比較して画素数が多い。高画質な映像信号と従来の映像信号とを同一のディスプレイに表示させるために、ディスプレイの解像度に合わせて走査周波数を変化させるスキャンコンバータと呼ばれる装置が設けられている。従来のスキャンコンバータには、走査周波数は単一周波数のまま、各種の映像信号を信号処理により、その単一周波数に応じた走査線数に変換して画像表示するものがある（例えば、特許文献１参照）。
【０００３】
また、画像表示装置には、画像信号の周波数変換をするとともに、ディスプレイに表示された画像を静止画として記録する機能を備えるものもある。ディスプレイに表示された画像は、上述したスキャンコンバータのフレームメモリに一時的に格納されるため、記録される画像はディスプレイに表示された画像とは異なるものとなる。
【０００４】
図９を参照して従来の画像表示装置２００の一例を説明する。画像表示装置２００では、入力回路２０９を経由して入力した映像信号が切替回路２０８に出力される。切替回路２０８から出力される映像信号は、スキャンコンバータ２０２と記録処理部２０６とに出力される。スキャンコンバータ２０２は、入力した映像信号をフレームメモリ２０３に格納してディスプレイ２０４に出力する。一方、ユーザが表示中の画像の記録を指示すると、制御用マイコン２０５は記録処理部２０６にコマンドを出力する。記録処理部２０６は、入力回路２０９から入力した映像信号を記録処理部２０６に静止画として記録させる。記録処理部２０６が静止画として記録した画像は、スキャンコンバータ２０２がディスプレイ２０４に表示している画像よりも数フレームだけ進んだ映像となる。
【０００５】
また、ユーザは、通常、リモートコントローラ２０７で静止画の記録を指示するが、リモートコントローラ２０７から出力された信号を制御用マイコン２０５が受信し、記録処理部２０６にコマンドを出力するまでの時間を要し、記録処理部２０６にコマンドが到着したときには、異なる画面がディスプレイ２０４に表示されている可能性がある。
【０００６】
画像が連続している場合には、数フレーム程度の差分は大きな違いではないが、この数フレームの間にシーンチェンジがある場合、ディスプレイに表示された画像と記録される画像が全く異なるものとなり、ユーザの意図する画像が記録されていないことがある。
【０００７】
【特許文献１】特開平１０−３１９９３２号公報
【発明の開示】
【発明が解決しようとする課題】
【０００８】
本発明は、上述した課題に鑑みてなされたものであって、ディスプレイに表示する画像を静止画として記録する機能を備える画像表示装置においてユーザが記録を指示したときにディスプレイに表示されていた画像と、実際に静止画として記録される画像とを一致させる画像表示装置を提供することを目的とする。
【課題を解決するための手段】
【０００９】
上述した目的を達成するために、本発明にかかる画像表示装置は、映像信号を入力する映像信号入力手段と、映像信号入力手段が入力した映像信号の走査周波数を変換する周波数変換手段と、周波数変換手段によって変換された走査周波数で映像を表示する表示手段と、表示手段に表示された映像に対する記録指示を受けたとき、映像信号入力手段が入力した映像信号を記憶する記憶手段と、記憶手段に記憶された映像信号を静止画として記録媒体に記録させる記録制御手段と、記憶手段に記憶された映像信号を周波数変換手段に出力させる切替手段とを備える。
【発明の効果】
【００１０】
本発明の画像表示装置は、表示手段に表示された映像信号に対する記録指示を受けたとき、表示手段に表示された映像に対する記録指示を受けたとき、入力した映像信号を記憶手段に記憶し、記憶手段に記憶した映像信号を周波数変換手段に出力させる。周波数変換手段に出力された映像信号は、表示手段に表示されるため、ユーザは記録制御手段が記録する画像を実際に目で確認することができる。
【００１１】
また、入力手段が入力した映像信号と記憶手段に記憶された映像信号とを重ねた画像を生成することにより、ユーザは再生中の映像を見逃すことなく、記録される画像を実際に目で確認することができる。
【発明を実施するための最良の形態】
【００１２】
本発明を適用した画像表示装置は、映像信号をディスプレイに表示させるとともに、表示している画像の１フレームを静止画として記録する機能を備える。本発明を適用した画像表示装置は、ディスプレイに表示された画像と静止画として記録する画像をディスプレイに出力する。これにより、ユーザは、静止画として記録される画像を確認することができる。
【００１３】
図１を参照して画像表示装置１の構成を説明する。以下、画像表示装置１の構成を再生系、記録系、制御系に分けて説明する。画像表示装置１の再生系には、スキャンコンバータ２とフレームメモリ３がある。スキャンコンバータ２は、ディスプレイ４の走査順序や解像度に応じて映像信号の周波数変換を行う。ディスプレイ４の走査順序には、「順次走査」と「飛び越し走査」があり、パーソナルコンピュータ用のディスプレイ４の場合には「順次走査」、テレビ用の画面では「飛び越し走査」という方式を用いる。また、パーソナルコンピュータ用のディスプレイ４には、解像度によってＶＧＡ（Video Graphics Array），ＳＶＧＡ（Super VGA），ＸＧＡ（eXtended Graphics Array）などがある。スキャンコンバータ２は、ディスプレイ４の解像度に応じて走査周波数を変換する。
【００１４】
さらに、テレビ用の映像信号にもＮＴＳＣ（National Television System Committee standard），ＰＡＬ（Phase Alternating Line standard），ＳＥＣＡＭなどの従来のアナログ信号と、ＨＤＴＶ（High Definition Television；高精細度テレビジョン信号）、ＥＤＴＶ（Enhanced Definition Tele Vision；高画質化テレビジョン）などの高品質化した映像信号がある。スキャンコンバータ２は、従来のアナログ信号を高品質化した映像信号にアップコンバートしたり、高品質化した映像信号を従来のアナログ信号にダウンコンバートしたりする。
【００１５】
また、スキャンコンバータ２は、パーソナルコンピュータ用のＲＧＢ信号（Red Green Blue code）をテレビ用の映像信号にダウンコンバートしたり、テレビやビデオの映像信号をパーソナルコンピュータ用の映像信号にアップコンバートしたりする。
【００１６】
フレームメモリ３は、ディスプレイ４に表示される映像信号の格納領域である。フレームメモリ３に格納されるフレームの枚数は、スキャンコンバータ２の性能によって異なる。フレームの枚数は最低２フレームであり、動き補償などの処理を行うのであれば３枚以上のフレームを格納する必要がある。ここでは、フレームメモリ３に３枚のフレームを記憶させる。
【００１７】
制御系には、制御用マイコン５、記録処理部６、リモートコントローラ７、切替回路８がある。図２を参照して制御系の処理を説明する。リモートコントローラ７には、静止画を記録させる静止画記録キー１１が設けられている。制御用マイコン５は、静止画記録キー１１が押下されると、記録処理部６と、スキャンコンバータ２とに制御コマンドを発行する（ステップＳ１１）。
【００１８】
スキャンコンバータ２は、制御用マイコン５からのコマンドに応じて映像信号の入力を停止し、フレームメモリ３に格納されたフレームをディスプレイ４に出力する。ユーザが記録を指示したフレームは、ディスプレイ４に表示されたのちフレームメモリ３から消去される（ステップＳ１２）。一方、記録処理部６は、入力回路９から入力した映像信号の最初の１フレームをメモリ１０に記憶する。このフレームは、ユーザが記録を指定したフレームよりも数フレーム進んでいる（ステップＳ１３）。言い換えれば、ユーザが記録を指定したフレームと実際に半導体メモリ１５に記録されるフレームには数フレーム分の差分が生じる。
【００１９】
次いで、記録処理部６は、メモリ１０に格納したフレームを切換回路に出力する（ステップＳ１４）。切替回路８は、図３（ａ）に示すように、入力先を入力１から入力２、すなわち、入力回路９から記録処理部６に切り替える（ステップＳ１５）。
【００２０】
ステップＳ１５の処理により、メモリ１０に格納された画像がディスプレイ４に表示される。図４は、スキャンコンバータ２が入力するフレームと、ディスプレイ４に表示されるフレームの関係を示している。スキャンコンバータ２にＡ，Ｂ，Ｃ，Ｄ，Ｅ，Ｆ，Ｇ，Ｈの順でフレームが入力されるとする。図４では、時刻ｔ１でユーザが静止画の記録を指示し、時刻ｔ２においてユーザの指示が制御用マイコン５から記録処理部６に到着し入力した画像信号がメモリ１０に格納されている。時刻ｔ１においてディスプレイ４に表示される画像信号はフレームＡであり、時刻ｔ２においてメモリ１０に格納された映像信号はフレームＥであるため、ユーザが静止画の記録を指示したときのフレームと実際に静止画として記録されるフレームとは４フレームの差分がある。この差分の間に画面の切り替えなどがあると、ユーザが予期しない画像が静止画として記録される可能性がある。本発明を適用した画像表示装置１は、ステップＳ１５の処理により静止画としてメモリ１０に格納された画像をスキャンコンバータ２に出力する。これにより、ユーザが静止画として記録する画像を実際に確認することができる。
【００２１】
画像表示装置１のディスプレイ４には、メモリ１０に格納された連続してスキャンコンバータ２に出力される。ユーザは、この画像を見ながらリモートコントローラ７の決定キー１２などを押下して、フレームの記録を指示する。制御用マイコン５は、記録処理部６に静止画を記録させるコマンドを出力する（ステップＳ１６）。
【００２２】
本発明を適用した画像表示装置１は、メモリ１０に記憶している画像、すなわち、半導体メモリ１５に記録される画像をディスプレイ４に表示させることを特徴とする。ステップＳ１２及びステップＳ１３で説明したように、静止画記録キー１１を押下したときにディスプレイ４に表示されていた画像と半導体メモリ１５に記録する画像は数フレーム分の差分が生じる。数フレーム程度の差分は、連続した画像であれば大きな違いではないが、この数フレームの間にシーンチェンジがある場合、ディスプレイ４に表示された画像と記録される画像が全く異なる。本発明を適用した画像表示装置１の場合、シーンチェンジ後の画像をディスプレイ４に表示させるため機械の動作とユーザの使用感との差を埋めることができる。
【００２３】
記録処理部６は、ステップＳ１６で制御コマンドを入力すると、この制御コマンドに応じてフレームの記録処理を開始する。画像表示装置１の記録系は、ＪＰＥＧ符号化部１３、メモリドライバ１４から構成される。記録処理部６は、先ず、メモリ１０に格納された映像信号をＪＰＥＧ符号化部１３に出力する。ＪＰＥＧ符号化部１３は、入力した映像信号にＪＰＥＧ圧縮を施し、圧縮した画像データにヘッダを付けて、ＪＰＥＧ形式のファイルを生成する。ＪＰＥＧ符号化部１３は生成したＪＰＥＧファイルをメモリドライバ１４に出力する。メモリドライバ１４は、半導体メモリ１５と通信しながら適当なフォルダにファイルを記録する（ステップＳ１７）。
【００２４】
記録処理部６は、静止画の記録が終了したこと示すメッセージを制御用マイコン５に出力する（ステップＳ１８）。制御用マイコン５は、メッセージを受信すると、切替回路８にコマンドを出力する（ステップＳ１９）。切替回路８は、このコマンドに応じて、図３（ｂ）に示すように、入力先を入力２から入力１、すなわち、記録処理部６から入力回路９に切り替える（ステップＳ２０）。これにより、スキャンコンバータ２は、入力回路９の出力された映像信号を入力してディスプレイ４に表示する。これは、通常の画像表示状態である（ステップＳ２１）。
【００２５】
次いで、上述した画像表示装置１の動作を図５のフローチャートを参照しながら説明する。画像表示装置１は、リモートコントローラ７からの入力を待機している（ステップＳ３１）。リモートコントローラ７の静止画記録キー１１が押下されると、画像表示装置１は、切替回路８及び記録処理部６にコマンドを出力する。画像表示装置１の記録制御部は、切替回路８から出力される映像信号を１フレーム取り込み。取り込んだ映像信号をメモリ１０に格納する（ステップＳ３２）。
【００２６】
記録制御部は、メモリ１０に格納したフレームを切替回路８に出力する（ステップＳ３３）。このフレームは、切替回路８を経由してスキャンコンバータ２に出力される。スキャンコンバータ２は、入力したフレームをディスプレイ４に表示させる。
【００２７】
ディスプレイ４に表示した画像に対し、ユーザが記録を指示すると（ステップＳ３４；ＹＥＳ）、記録制御部は記録処理を開始する。一方、ユーザが記録中止を指示すると（ステップＳ３４；ＮＯ）、画像表示処理は、ステップＳ３１に処理を移行し、再びユーザからの指示入力を待機する。
【００２８】
記録処理部６は、記録処理において、まず、メモリ１０に記憶してあるフレームを処理用のエリアに取り込む（ステップＳ３５）。そして、記録処理部６は、ＪＰＥＧ符号化部１３にフレームの圧縮を指示する（ステップＳ３６）。ＪＰＥＧ符号化部１３は、入力したフレームにＪＰＥＧ圧縮を施し、ＪＰＥＧ形式のファイルを生成する（ステップＳ３７）。次いで、記録処理部６は、メモリドライバ１４に制御信号を出力し、ＪＰＥＧ符号化部１３から出力されるファイルを半導体メモリ１５に記録させる（ステップＳ３８）。
【００２９】
以上説明したように、本発明を適用した画像表示装置１はメモリ１０に格納された記録用のフレームをディスプレイ４に表示させることにより、ユーザは実際に記録される画像を目で確認して記録を指示することができる。
【００３０】
上述した画像表示装置１は、静止画の記録が指示されると、再生中の画像の表示を停止して静止画をディスプレイに表示させた。これでは、静止画の記録処理をしている間に、ユーザが再生中の画像を見ることができず、テレビジョンなどでは大切な場面を見逃してしまう。そこで、以下に示す画像表示装置１００では、再生中の画像と記録される静止画とを同時に表示させる。
【００３１】
図６は、再生中の画像と静止画とを同時に表示させる画像表示装置１００の構成を示す。画像表示装置１００は、切替回路２０の入力と出力とがそれぞれ２系統になっている。切替回路２０の入力は入力回路９と記録処理部６とであり、出力はスキャンコンバータ２１及び記録処理部６への出力とスキャンコンバータ２１への出力とがある。スキャンコンバータ２１及び記録処理部６への出力は、上述した静止画の表示用に使用し、スキャンコンバータ２１のみの出力は再生画像の継続出力用に使用する。なお、上述した画像表示装置１００と画像表示装置１００との間で構成に差のない箇所は同じ符号で示す。
【００３２】
画像表示装置１００の動作を図７のフローチャートを参照して説明する。画像表示装置１００は、画像を再生しながら、リモートコントローラ７からの入力を待機している。このとき、切替回路２０の出力１及び出力２は、図８（ａ）に示すように入力１と接続されている。リモートコントローラ７の静止画記録キー１１が押下されると、画像表示装置１００の制御用マイコン５は、切替回路２０及び記録処理部６にコマンドを出力する（ステップＳ４１）。記録処理部６は、このコマンドに応じて、切替回路２０から出力される映像信号の１フレームをメモリ１０に格納する（ステップＳ４２）。
【００３３】
記録処理部６は、メモリ１０に格納したフレームを切替回路２０に出力する（ステップＳ４３）。このとき、図８（ｂ）に示すように入力２が出力２と接続される。スキャンコンバータ２１は、入力回路９からの映像信号とメモリ１０に格納されたフレームとを入力する（ステップＳ４４）。スキャンコンバータ２１は、入力回路９から入力した再生中の映像とメモリ１０に格納された静止画とを重ね合わせてディスプレイ４に表示する（ステップＳ４５）。ディスプレイ４に表示した静止画に対して、ユーザが記録を指示すると（ステップＳ４６；ＹＥＳ）、記録制御部は記録処理を開始する。一方、ユーザが記録中止を指示すると（ステップＳ４６：ＮＯ）、画像表示装置１００は、ステップＳ４１に処理を移行し、再びユーザからの指示入力を待機する。
【００３４】
記録処理部６は、記録処理において、まず、メモリ１０に記憶してあるフレームを処理用のエリアに取り込む（ステップＳ４７）。そして、記録処理部６は、ＪＰＥＧ符号化部１３に対しフレーム圧縮の開始を指示する（ステップＳ４８）。ＪＰＥＧ符号化部１３は、入力したフレームにＪＰＥＧ圧縮を施し、ＪＰＥＧ形式のファイルを生成する（ステップＳ４９）。次いで、記録処理部６は、メモリドライバ１４に制御信号を出力し、ＪＰＥＧ符号化部１３から出力されるファイルを半導体メモリ１５に記録させる（ステップＳ５０）。
【００３５】
以上説明したように、画像表示装置１００は、再生中の画像と記録する静止画とを同時に表示するため、ユーザが再生中の画像を見逃すことなく、どのような画像が半導体メモリ１５に記録されるかを確認することができる。
【図面の簡単な説明】
【００３６】
【図１】画像表示装置の構成を示すブロック図である。
【図２】制御系の処理を示すブロック図である。
【図３】切替回路の接続関係を示す図である。
【図４】スキャンコンバータが入力するフレームとディスプレイに表示されるフレームとの関係を示す図である。
【図５】画像表示装置の動作を説明するフローチャートである。
【図６】再生中の画像と静止画とを同時に再生させる画像表示装置の構成を示すブロック図である。
【図７】図６に示す画像表示装置の動作を説明するフローチャートである。
【図８】切替回路の接続関係を示す図である。
【図９】従来の画像表示装置の構成を示す図である。
【符号の説明】
【００３７】
１  画像表示装置、２  スキャンコンバータ、３  フレームメモリ、４  ディスプレイ、５  制御用マイコン、６記録処理部、７  リモートコントローラ、８  切替回路、９  入力回路、１０  メモリ、１１  静止画記録キー、１２  決定キー、１３  ＪＰＥＧ符号化部、１４  メモリドライバ、１５  半導体メモリ
【図１】
2006019959.tif 000003
【図２】
2006019959.tif 000004
【図３】
2006019959.tif 000005
【図４】
2006019959.tif 000006
【図５】
2006019959.tif 000007
【図６】
2006019959.tif 000008
【図７】
2006019959.tif 000009
【図８】
2006019959.tif 000010
【図９】
2006019959.tif 000011